(57)【要約】【課題】ハンドルがハウジングから外れるのを防ぐために、ハンドルを固定するねじの弛みに早期に気付くことができる作業機を提供する。【解決手段】作業機１０は、原動機２０を収容したハウジング１１に着脱可能に固定したハンドルと、ハウジング１１に設けた凹部１５と、ハンドル３０に設けて凹部１５に嵌合する突部３１と、凹部１５と突部３１とに挿通してハンドル３０をハウジング１１に固定するための雄ねじ部品３４と雌ねじ部品１７とを備え、雄ねじ部品２５を雌ねじ部品１７に締結させてハンドル３０をハウジング１１に固定した状態で、雄ねじ部品３４の雌ねじ部品１７との締結部分を含む先端側の長さを突部３１の突出長より長くし、突部３１の突出方向の先端面と側面との間の角部を面取りした。【選択図】図４
2014108070.tif 000002
【特許請求の範囲】
【請求項１】
原動機を収容したハウジングと、
前記ハウジングに着脱可能に固定して作業者が把持するハンドルと、
前記ハウジングと前記ハンドルの一方に設けた凹部と、
前記ハウジングと前記ハンドルの他方に設けて前記凹部に嵌合した突部と、
前記凹部と前記突部とに挿通して前記ハンドルを前記ハウジングに固定するための雄ねじ部品と、
前記雄ねじ部品の先端部に締結することにより前記ハンドルを前記ハウジングに固定する雌ねじ部品とを備えた作業機であって、
前記雄ねじ部品を前記雌ねじ部品に締結させて前記ハンドルを前記ハウジングに固定した状態で、前記雄ねじ部品の前記雌ねじ部品との締結部分を含む先端側の長さを前記突部の突出長より長くし、
前記突部の突出方向の先端面と側面との間の角部を面取りしたことを特徴する作業機。
【請求項２】
請求項１に記載の作業機において、
前記突部は突出方向と交差する方向に延在する前記ハンドルの回り止めのための回り止め部を備え、前記突部の突出長と前記回り止め部の延出する方向と交差する幅方向の長さとの比が１：２〜１：３．３となるように設定したことを特徴とする作業機。
【発明の詳細な説明】
【技術分野】
【０００１】
本発明は、ヘッジトリマ、芝刈バリカン等の原動機を収容したハウジングに作業者が把持するハンドルを固定した作業機に関する。
【背景技術】
【０００２】
特許文献１には、この種の作業機であるヘッジトリマが開示されている。このヘッジトリマは、ハウジング内に原動機である電動モータを備え、電動モータの作動によりハウジングの下部に設けた一対のシャーブレードを往復動させるものである。ハウジングの前部には作業者が把持して使用する逆Ｕ字形をしたハンドルが固定されている。
【０００３】
このヘッジトリマにおいては、ハウジング内の部品のメンテナンスをするために、ハンドルはハウジングに対してねじにより着脱可能に固定されている。図６に示したように、逆Ｕ字形をしたハンドルの先端部には突部が形成されており、ハンドルの突部はハウジングに形成した凹部に嵌合されている。ハンドルの突部がハウジングの凹部に嵌合した状態にて、ハンドルの外側からねじをハンドルの突部とハウジングの凹部とに挿通し、ねじの先端部にハウジングに設けたナットを締結することで、ハンドルはハウジングに固定されている。
【先行技術文献】
【特許文献】
【０００４】
【特許文献１】特開２０１２−１３９２３５号公報
【発明の概要】
【発明が解決しようとする課題】
【０００５】
上記のヘッジトリマにおいては、組付け不良等により、ハンドルを固定したねじがナットから弛んでいる場合がある。図６（ｂ）に示したように、ハンドルの先端部の突部は突出方向の先端面と側面との角部が直角に形成されていることで、ねじがナットから弛んでいても、ハンドルの突部が凹部に対してがたつくことなく嵌合して、ねじの弛みに気付きにくかった。このような状態で電動モータを作動させると、ねじがナットから外れて脱落する場合があり得るが、ハンドルの突部の側面がハウジングの凹部の側面に引っ掛かっているために、直ちにハンドルがハウジングから外れることはなかった。しかし、ハウジングに対して大きな負荷が加わると、ハンドルの突部がハウジングの凹部から外れ、最悪の場合には、ハンドルがハウジングから外れることがあり得る。本発明は、ハンドルがハウジングから外れる前に、ハンドルを固定するねじの弛みに早期に気付くことができる作業機を提供することを目的とする。
【課題を解決するための手段】
【０００６】
上記課題を解決するために、本発明は、原動機を収容したハウジングと、ハウジングに着脱可能に固定して作業者が把持するハンドルと、ハウジングとハンドルの一方に設けた凹部と、ハウジングとハンドルの他方に設けて凹部に嵌合した突部と、凹部と突部とに挿通してハンドルをハウジングに固定するための雄ねじ部品と、雄ねじの先端部に締結してハンドルをハウジングに固定する雌ねじ部品とを備えた作業機であって、雄ねじ部品を雌ねじ部品に締結させてハンドルをハウジングに固定した状態で、雄ねじ部品の雌ねじ部品との締結部分を含む雄ねじ部品の先端側の長さを突部の突出長より長くし、突部の突出方向の先端面と側面との間の角部を面取りしたことを特徴する作業機を提供するものである。
【０００７】
上記のように構成した作業機においては、雄ねじ部品の雌ねじ部品との締結部分を含む雄ねじ部品の先端側の長さを突部の突出長より長くし、突部の突出方向の先端面と側面との間の角部を面取りしたので、雄ねじ部品が雌ねじ部品から弛んでいるときに、雄ねじ部品が雌ねじ部品から抜けて外れる前、すなわち、雄ねじ部品が雌ねじ部品に係合してハンドルがハウジングに固定された状態で、突部の先端の面取りした部分が凹部との間でがたつくことにより、雄ねじ部品が雌ねじ部品から弛んでいることに気づくことができる。これにより、雄ねじ部品が雌ねじ部品に対して弛んで外れることに起因して、ハンドルがハウジングから外れるのを未然に防ぐことができる。
【０００８】
上記のように構成した作業機においては、突部は突出方向と交差する方向に延在するハンドルの回り止めのための回り止め部を備え、突部の突出長と回り止め部の延出する方向と交差する幅方向の長さとの比が１：２〜１：３．３となるように設定したときには、凹部に突部を十分に引掛けたうえでハンドルをハウジングに固定できるとともに、突部の先端の面取りした部分が凹部との間で十分にがたついて、雄ねじ部品が雌ねじ部品に対して弛んでいることに気づくことができる。
【図面の簡単な説明】
【０００９】
【図１】本発明の作業機の一実施形態であるヘッジトリマの側面図である。
【図２】図１の前後方向に沿った断面図である。
【図３】図１のアウターハウジングを分解した斜視図である。
【図４】図１のＡ−Ａ断面図である。
【図５】（ａ）ハンドルの斜視図であり、（ｂ）ハンドルの先端部の突部を示す拡大図である。
【図６】（ａ）従来のハンドルの斜視図であり、（ｂ）従来のハンドルの先端部の突部を示す拡大図である。
【発明を実施するための最良の形態】
【００１０】
以下、本発明の作業機の一実施形態であるヘッジトリマを添付図面を参照して説明する。図１及び図２に示したように、ヘッジトリマ１０は、ハウジング１１内に原動機である電動モータ２０を備え、電動モータ２０の作動によりクランク機構２１を介してハウジング１１の下部に設けたブレードアセンブリ２２の一対のシャーブレード２２ａ，２２ｂを往復動させるものである。
【００１１】
図１〜図３に示したように、ハウジング１１は主として電動モータ２０とクランク機構２１とを収容したインナハウジング１２と、インナハウジング１２を防振的に収容するアウタハウジング１３とからなる。アウタハウジング１３は左右のパーツ１３ａ，１３ｂよりなる。アウタハウジング１３の後部には作業者が一方の手で把持するグリップ１４が一体的に形成されている。
【００１２】
アウタハウジング１３の側壁前部の外面下部にはハンドル３０を固定するための凹部１５が形成されている。凹部１５は後述するハンドル３０の突部３１が嵌合する形状であり、低い円形の柱状をした円柱部の周方向に略等間隔に配置した３箇所から放射状に延びる回り止めのための回り止め部を形成した形状となっている（凹部１５の形状はハンドル３０の突部３１が嵌合する形状であり、ハンドル３０の突部３１の形状を図４及び図５に詳細に示しているので、凹部１５の詳細な図面は省略する）。図３及び図４に示したように、アウタハウジング１３の周壁内面には凹部１５が形成された位置に内側に突出する円柱形突部１６が形成されており、この円柱形突部１６の内部の貫通孔にはナット（雌ねじ部品）１７が固着されている。なお、凹部１５の底壁には円柱形突部１６の貫通孔と同心的にナット１７に締結するねじ３４を挿通する挿通孔１５ａが形成されている。
【００１３】
図１に示したように、アウタハウジング１３の側壁前部の下部には、凹部１５が形成された位置に、作業者が他方の手で把持して使用する逆Ｕ字形をしたハンドル３０が着脱可能に固定されている。図５に示したように、逆Ｕ字形をしたハンドル３０の下部の両側の先端部は互いに内側に向けて屈曲しており、ハンドル３０の下部の両先端部には互いに内側に向けて突出して凹部１５に嵌合した突部３１，３１が形成されている。突部３１は、円形の低い柱状をした円柱部３１ａと、円柱部３１ａの周方向に略等間隔に配置した３箇所から、突部３１の突出する方向と直交（交差）する方向にて放射状に延びる回り止め部３１ｂ，３１ｃ，３１ｄとから構成されている。突部３１の突出方向の先端面と、先端面と直交して、突出方向に平行な側面との間の角部は面取りがされた面取り部３１ｅが形成されている。この実施形態においては、突部３１の突出方向の高さは３ｍｍとなっており、回り止め部３１ｂ，３１ｃ，３１ｄの幅方向の長さは６ｍｍ，１０ｍｍ，１０ｍｍとなっている。
【００１４】
図１及び図４に示したように、ハンドル３０の下部には、突部３１の円柱部３１ａの中心軸を通るようにハンドル３０の固定のためのねじ３４の挿通孔３２が貫通して形成されている。挿通孔３２のアウタハウジング１３側には、突部３１の円柱部３１ａが形成された部分を含めて補強のための金属製のスリーブ３３が挿入されている。挿通孔３２の内径はねじ３４の頭部３４ａの直径より大きく形成されている。また、スリーブ３３の内径はねじ３４の頭部３４ａの直径より小さく、ねじ３４のねじ部３４ｂの直径より大きく形成されている。
【００１５】
図４に示したように、ハンドル３０の挿通孔３２にはねじ３４が挿通されており、ねじ３４の先端部はアウタハウジング１３に固着したナット１７に締結している。詳述すると、ねじ３４の頭部３４ａはスリーブ３３の軸線方向の端面に係止した状態で、ねじ部３４ｂがスリーブ３３内と凹部１５の挿通孔１５ａを通り、ねじ部３４ｂの先端部がナット１７に締結されている。ねじ３４のナット１７との締結部分を含む先端側の長さは７ｍｍとなっている。
【００１６】
このヘッジトリマ１０においては、電動モータ２０を作動させると、一対のシャーブレード２２ａ，２２ｂが往復動し、往復動する一対のシャーブレード２２ａ，２２ｂを生垣に当てると、生垣の枝葉が刈り取られる。
【００１７】
上記のように構成したヘッジトリマ１０は、電動モータ２０を収容したハウジング１１と、ハウジング１１に着脱可能に固定して作業者が把持するハンドル３０と、ハウジング１１に設けた凹部１５と、ハンドル３０に設けて凹部１５に嵌合する突部３１と、凹部１５と突部３１とに挿通してハンドル３０をハウジング１１に固定するためのねじ３４と、ねじ３４の先端部に締結することによりハンドル３０をハウジング１１に固定するナット１７とを備えている。このヘッジトリマ１０においては、ねじ３４をナット１７に締結させてハンドル３０をハウジング１１に固定した状態で、ねじ３４のナット１７との締結部分を含む先端側の長さ（７ｍｍ）を突部３１の突出長（３ｍｍ）より長くし、突部３１の突出方向の先端面と側面との間の角部を面取りした。
【００１８】
このヘッジトリマ１０においては、ねじ３４をナット１７に弛むことなく締結して、ハンドル３０をハウジング１１に固定した状態では、ハンドル３０の突部３１はハウジング１１の凹部１５に対して突出方向に隙間なく嵌合し、突部３１の側面は凹部１５の側面と隙間なく当接し、ハンドル３０の突部３１はハウジング１１の凹部１５に対してがたつかない。
【００１９】
このヘッジトリマ１０においては、組付け不良などにより、ハンドル３０を固定したねじ３４がナット１７から弛んでいる場合がある。ねじ３４がナット１７から弛んでいるとと、ハンドル３０の突部３１がハウジング１１の凹部１５から突出する方向と反対側に後退している。突部３１が凹部１５から後退しているときに、突部３１の先端部の角部には面取り部３１ｅが形成されているので、突部３１は先端部の角部の面取りした範囲で凹部１５の側面との間を突出方向と直交する方向に揺動可能となり、突部３１が凹部１５に対してがたつく。このとき、ねじ３４のナット１７との締結部分を含む先端側の長さは突部３１の突出長より長いので、突部３１が凹部１５から完全に外れる場合でも、ねじ３４が少なくともナット１７の一部に係合している。このように、ねじ３４がナット１７から弛んでいるときに、ねじ３４がナット１７から抜けて外れる前、すなわち、ねじ３４がナット１７に係合してハンドル３０がハウジング１１に固定された状態で、突部３１の先端部の角部の面取りした部分が凹部１５との間でがたつくことにより、ねじ３４がナット１７から弛んでいることに気付くことができる。これにより、ねじ３４がナット１７に対して弛んで外れることに起因して、ハンドル３０がハウジング１１から外れるのを未然に防ぐことができる。また、ハンドル３０をハウジング１１に固定したときに、ハンドル３０を揺動させて、突部３１が凹部１５との間でがたつくか否かを調べることで、ねじ３４がナット１７に弛むことなく締結していることを確認できる。
【００２０】
このヘッジトリマ１０においては、突部３１は突出方向と直交する方向にて、円柱部３１ａの中心軸から放射状に延在するハンドル３０の回り止めのための回り止め部３１ｂ，３１ｃ，３１ｄを備えている。突部３１の突出長は３ｍｍとし、回り止め部３１ｂ，３１ｃ，３１ｄの放射状に延出する方向と直交する幅方向の長さは６ｍｍ，１０ｍｍ，１０ｍｍと設定している。このように、突部３１の突出長と回り止め部３１ｂ，３１ｃ，３１ｄの延出する方向と直交する幅方向の長さとの比は１：２〜１：３．３となるように設定したことで、凹部１５に突部３１を十分に引掛けたうえでハンドル３０をハウジング１１に固定できるとともに、上述したように突部３１の先端の面取りした部分が凹部１５との間で十分にがたつくことで、ねじ３４がナット１７に対して弛んでいることに気づくことができる。この実施形態においては、突部３１には円柱部３１ａの周方向に略等間隔に配置した３箇所から、突部３１の突出する方向と直交する方向にて放射状に延びる回り止め部３１ｂ，３１ｃ，３１ｄを形成したが、本発明はこれに限られるものでなく、１つ以上の回り止め部を形成したものであってもよい。このときにも、突部３１の突出長と回り止め部の幅方向の長さとの比を１：２〜１：３．３となるように設定するのが好ましい。
【００２１】
上述した実施形態においては、ハウジング１１に凹部１５を設け、ハンドル３０に凹部１５に嵌合する突部３１を設けたが、本発明はこれに限られるものでなく、ハウジング１１に突部を設け、ハンドル３０にハウジング１１の突部が嵌合する凹部を設けたものであっても上述したのと同様の作用効果を得ることができる。また、上述した実施形態においては、ハウジング１１にナット（雌ねじ部品）１７を設け、ハンドル３０の挿通孔３２を挿通したねじ（雄ねじ部品）２５の先端部をナット１７に締結させてハンドル３０をハウジング１１に固定したが、本発明はこれに限られるものでなく、ハンドル３０にナット（雌ねじ部品）を設け、ハウジング１１に形成した挿通孔に挿通したねじ（雄ねじ部品）をナットに締結させてハンドル３０をハウジング１１に固定したときにも上述したのと同様の作用効果を得ることができる。
【００２２】
上述した実施形態においては、ハウジング１１に雌ねじ部品としてナット１７を設けたが、本発明はこれに限られるものでなく、雌ねじ部品としてハウジング１１に形成した孔に雌ねじを穿設したものにも適用される。
【００２３】
上述した実施形態においては、原動機に作動により振動する電動モータ２０を用いたが、本発明はこれに限られるものでなく、作動によって振動する原動機として、ガソリン等の燃料により作動するエンジンをハウジングに収容したヘッジトリマ等の作業機であってもよく、このようにしたときにも上述したのと同様の作用効果を得ることができる。
【００２４】
上述した実施形態は生垣の枝葉を切断するヘッジトリマについて説明したが、本発明の作業機は、原動機を収容したハウジングに作業者が把持するハンドルを着脱可能に固定した、芝刈り機、チェーンソー等の他の作業機にも適用される。
【符号の説明】
【００２５】
１０…ヘッジトリマ（作業機）、１１…ハウジング、１５…凹部、１７…雌ねじ部品（ナット）、２０…電動モータ、３０…ハンドル、３１…突部、３１ｂ〜３１ｄ…回り止め部、３４…雄ねじ部品（ねじ）。
【図１】
2014108070.tif 000003
【図２】
2014108070.tif 000004
【図３】
2014108070.tif 000005
【図４】
2014108070.tif 000006
【図５】
2014108070.tif 000007
【図６】
2014108070.tif 000008